(57)【要約】【課題】予め設定したコピー枚数等の印刷数を印刷中でも変更できるようにする。【解決手段】媒体に印刷をする印刷手段と、前記印刷手段による前記媒体の印刷数を設定するための設定手段とを備えた印刷装置において、前記印刷手段の印刷中に、前記設定手段によって設定された前記印刷数の変更を受け付ける。【選択図】      図８
2004155102.tif 000002
【特許請求の範囲】
【請求項１】
媒体に印刷をする印刷手段と、前記印刷手段による前記媒体の印刷数を設定するための設定手段とを備えた印刷装置において、
前記印刷手段の印刷中に、前記設定手段によって設定された前記印刷数の変更を受け付けることを特徴とする印刷装置。
【請求項２】
前記印刷手段の印刷中に、変更された前記印刷数が、前記印刷手段により印刷済みの前記媒体の数と同じ若しくはこれよりも少ない場合に、前記印刷手段の印刷処理を中止することを特徴とする請求項１に記載の印刷装置。
【請求項３】
前記印刷手段の印刷中に、前記設定手段により設定された前記媒体の印刷数を前記印刷手段により印刷済みの前記媒体の数以下に設定する変更を受け付けないことを特徴とする請求項１に記載の印刷装置。
【請求項４】
前記印刷手段が前記媒体の印刷に使用する記録剤の残量を検出する残量検出手段と、前記印刷手段が処理する印刷データに基づき、前記媒体１つ当たりの前記印刷手段による前記記録剤の予想消費量を算出する消費量算出手段と、前記残量検出手段により検出された前記記録剤の残量と、前記消費量算出手段により算出された予想消費量とに基づき、前記印刷手段により印刷可能な前記媒体の数を算出する印刷可能数算出手段とを備え、
前記印刷手段の印刷中に、前記設定手段により設定された前記媒体の印刷数を、前記印刷可能数算出手段により算出された前記印刷手段により印刷可能な前記媒体の数を上回る数に設定する変更を受け付けないことを特徴とする請求項１乃至３のいずれか１項に記載の印刷装置。
【請求項５】
前記印刷数を表示する表示部を備えたことを特徴とする請求項１乃至４のいずれか１項に記載の印刷装置。
【請求項６】
原稿から画像を読み取る画像読み取り手段を備え、前記画像読み取り手段により読み取られた画像を前記印刷手段により前記媒体に印刷することを特徴とする請求項１乃至５のいずれか１項に記載の印刷装置。
【請求項７】
前記媒体を搬送する搬送手段を備え、前記印刷手段が前記媒体に対して相対的に移動しながら記録剤を吐出して印刷をするように構成されており、前記搬送手段による前記媒体の搬送と、前記印刷手段による前記媒体の印刷とを繰り返すことにより、前記媒体に印刷をすることを特徴とする請求項１乃至６のいずれか１項に記載の印刷装置。
【請求項８】
媒体に印刷をする印刷手段と、前記媒体の印刷数を設定するための設定手段とを備えた印刷装置において、
前記印刷数を表示する表示部と、原稿から画像を読み取る画像読み取り手段と、前記媒体を搬送する搬送手段とを備え、
前記印刷手段が前記媒体に対して相対的に移動しながら記録剤を吐出して印刷をするように構成されており、前記搬送手段による前記媒体の搬送と、前記印刷手段による前記媒体の印刷とを繰り返すことにより、前記媒体に印刷をするとともに、
前記印刷手段の印刷中に、前記設定手段により設定された前記媒体の印刷数を、前記印刷手段により印刷済みの前記媒体の数を上回る値に設定する変更のみを受け付けることを特徴とする印刷装置。
【請求項９】
媒体に印刷をする印刷手段と、前記印刷手段による前記媒体の印刷数を設定するための設定手段とを備えた印刷装置で実行されるプログラムであって、
前記印刷手段の印刷中に、前記設定手段により設定された前記印刷数の変更を受け付けるステップを実行することを特徴とするプログラム。
【請求項１０】
媒体に印刷をする印刷手段と、前記印刷手段による前記媒体の印刷数を設定するための設定手段とを備えた印刷装置における印刷方法であって、
前記印刷手段の印刷中に、前記設定手段により設定された前記印刷数の変更を受け付けることを特徴とする印刷方法。
【発明の詳細な説明】
【０００１】
【発明の属する技術分野】
本発明は、予め印刷する媒体の数を設定可能な印刷装置およびこの装置で実行されるプログラム並びに印刷方法に関する。
【０００２】
【従来の技術】
最近、インクジェットプリンタをはじめとする印刷装置として、原稿から画像を読み取ることができるスキャナ部を備えた印刷装置が知られている。このスキャナ付き印刷装置は、ホストコンピュータから送られてきた印刷データに基づき、媒体に印刷を施す通常のプリンタとしての機能の他に、スキャナ部で原稿から画像を読み取って画像データを生成し、この画像データをホストコンピュータ等に向けて送信するスキャナとしての機能と、スキャナ部で読み取った画像を用紙等の媒体に印刷するローカルコピー機能とを備えている。このローカルコピー機能には、スキャナ部で読み取った画像を複数の媒体にまとめて印刷することができるコピー枚数設定機能が設けられている。
【０００３】
【発明が解決しようとする課題】
ところで、このコピー枚数設定機能にあっては、コピー枚数を設定してローカルコピーを実行した後、設定したコピー枚数を変更することはできなかった。つまり、コピー実行前にコピー枚数を７枚に設定した場合、コピー実行後は、コピー枚数を７枚から５枚に減らしたり、また１０枚に増やしたりといった設定変更が行えなかったのである。
【０００４】
しかしながら、コピー枚数を誤って設定してしまった場合や、設定したコピー枚数が多すぎたり少なすぎたりした場合など、ローカルコピーの実行中に、設定したコピー枚数を変更する必要が生じるようなことは多い。この場合、クリアボタンなどを操作してローカルコピーを途中で中止してから、コピー枚数を設定し直して、再度、ローカルコピーを実行しなければならなかった。ローカルコピーを途中で中止すると、媒体への印刷も途中で途切れてしまうため、媒体が１枚無駄になってしまう場合があった。特に、インクジェットプリンタの場合には、媒体を１枚印刷するのに非常に時間がかかるため、無駄になる場合が多かった。媒体を無駄にしないためには、媒体への印刷終了から次の媒体への印刷を開始するタイミングで、印刷を中止しなければならず、きわめて困難であった。
【０００５】
本発明は、このような事情に鑑みてなされたものであって、予め設定したコピー枚数等の印刷数を印刷中でも変更できるようにすることを目的とする。
【０００６】
【課題を解決するための手段】
前記目的を達成するための主たる発明は、媒体に印刷をする印刷手段と、前記印刷手段による前記媒体の印刷数を設定するための設定手段とを備えた印刷装置において、
前記印刷手段の印刷中に、前記設定手段によって設定された前記印刷数の変更を受け付けることを特徴とする印刷装置である。
本発明の他の特徴は、本明細書及び添付図面の記載により明らかにする。
【０００７】
【発明の実施の形態】
本明細書及び添付図面の記載により少なくとも以下の事項が明らかとなる。    媒体に印刷をする印刷手段と、前記印刷手段による前記媒体の印刷数を設定するための設定手段とを備えた印刷装置において、
前記印刷手段の印刷中に、前記設定手段によって設定された前記印刷数の変更を受け付けることを特徴とする印刷装置。
このような印刷装置にあっては、前記印刷手段の印刷中であっても、前記設定手段により設定した前記印刷数を変更することができる。これにより、印刷数を誤って設定してしまった場合や、設定した印刷数が多すぎたり少なすぎたりした場合などであっても、印刷手段の印刷処理を途中で中止することなく、印刷数を所望の数に変更することができる。このため、印刷処理をスムーズに行うことができる。
【０００８】
かかる印刷装置にあっては、前記印刷手段の印刷中に、変更された前記印刷数が、前記印刷手段により印刷済みの前記媒体の数と同じ若しくはこれよりも少ない場合に、前記印刷手段の印刷処理を中止するように構成されるのが好ましい。このように、変更された前記印刷数が、前記印刷手段により印刷済みの前記媒体の数と同じ若しくはこれよりも少ない場合に、前記印刷手段の印刷処理を中止するように構成されることで、印刷済みの媒体の数が所望の印刷数に達している場合に、直ちに印刷処理を中止することができ、印刷処理の中止の手間を省くことができる。
【０００９】
また、かかる印刷装置にあっては、前記印刷手段の印刷中に、前記媒体の印刷数を前記印刷手段により印刷済みの前記媒体の数以下に設定する変更を受け付けないように構成されると良い。このように構成されれば、変更後の印刷数が印刷済みの媒体の数を下回らないようにすることができる。
【００１０】
また、かかる印刷装置にあっては、前記印刷手段が前記媒体の印刷に使用する記録剤の残量を検出する残量検出手段と、前記印刷手段が処理する印刷データに基づき、前記媒体１つ当たりの前記印刷手段による前記記録剤の予想消費量を算出する消費量算出手段と、前記残量検出手段により検出された前記記録剤の残量と、前記消費量算出手段により算出された予想消費量とに基づき、前記印刷手段により印刷可能な前記媒体の数を算出する印刷可能数算出手段とを備え、前記印刷手段の印刷中に、前記設定手段により設定された前記媒体の印刷数を、前記印刷可能数算出手段により算出された前記印刷手段により印刷可能な前記媒体の数を上回る数に設定する変更を受け付けないように構成にすると良い。このような構成にすれば、印刷の途中で、記録剤が不足するのを可及的に防止することができる。
【００１１】
また、かかる印刷装置にあっては、前記印刷数を表示する表示部を備えたことを特徴とする。このような印刷装置にあっては、設定された印刷数を外部に簡単に知らせることができる。
【００１２】
また、かかる印刷装置にあっては、原稿から画像を読み取る画像読み取り手段を備え、前記画像読み取り手段により読み取られた画像を前記印刷手段により前記媒体に印刷するように構成されると良い。このような印刷装置であれば、原稿から読み取った画像の印刷中に印刷数を簡便に変更することができる。
【００１３】
また、かかる印刷装置にあっては、前記媒体を搬送する搬送手段を備え、前記印刷手段が前記媒体に対して相対的に移動しながら記録剤を吐出して印刷をするように構成されており、前記搬送手段による前記媒体の搬送と、前記印刷手段による前記媒体の印刷とを繰り返すことにより、前記媒体に印刷をする印刷装置であると良い。このような印刷装置であれば、媒体への印刷が途中で途切れて終わらせずに済み、媒体の無駄を解消することができる。
【００１４】
また、本発明は、媒体に印刷をする印刷手段と、前記媒体の印刷数を設定するための設定手段とを備えた印刷装置において、
前記印刷数を表示する表示部と、原稿から画像を読み取る画像読み取り手段と、前記媒体を搬送する搬送手段とを備え、
前記印刷手段が前記媒体に対して相対的に移動しながら記録剤を吐出して印刷をするように構成されており、前記搬送手段による前記媒体の搬送と、前記印刷手段による前記媒体の印刷とを繰り返すことにより、前記媒体に印刷をするとともに、
前記印刷手段の印刷中に、前記設定手段により設定された前記媒体の印刷数を、前記印刷手段により印刷済みの前記媒体の数を上回る値に設定する変更のみを受け付けることを特徴とする印刷装置である。
【００１５】
また、本発明に係るプログラムは、媒体に印刷をする印刷手段と、前記印刷手段による前記媒体の印刷数を設定するための設定手段とを備えた印刷装置で実行されるプログラムであって、
前記印刷手段の印刷中に、前記設定手段により設定された前記印刷数の変更を受け付けるステップを実行することを特徴とするプログラムである。
【００１６】
また、本発明に係る印刷方法は、媒体に印刷をする印刷手段と、前記印刷手段による前記媒体の印刷数を設定するための設定手段とを備えた印刷装置における印刷方法であって、
前記印刷手段の印刷中に、前記設定手段により設定された前記印刷数の変更を受け付けることを特徴とする印刷方法である。
【００１７】
＝＝＝印刷装置の概略構成＝＝＝
以下に本実施形態に係る印刷装置の実施の形態について、スキャナ付きインクジェットプリンタを例にとり、その概要について説明する。図１〜図３は、そのスキャナ付きインクジェットプリンタの外観を示した斜視図を示している。
【００１８】
このスキャナ付きインクジェットプリンタ１は、原稿から画像を読み取って画像データを生成するスキャナ機能と、ホストコンピュータから送られてきた印刷データに基づき印刷媒体に印刷をするプリンタ機能と、原稿から読み取った画像を印刷媒体に印刷して複写するローカルコピー機能とを備えたスキャナ・プリンタ・コピー複合装置（以下、ＳＰＣ複合装置ともいう）である。このＳＰＣ複合装置１は、図１に示すように、その上部に原稿５から画像を読み取るためのスキャナ部（本発明における画像読み取り手段に相当）１０を備え、また、その下部に、用紙７に印刷をするためのプリンタ部（本発明における印刷手段に相当）３０を備えている。また装置１の前面部には、操作パネル部７０が設けられている。
【００１９】
スキャナ部１０は、図２に示すように、原稿５がセットされるガラス板が設けられた原稿台１２と、当該原稿台１２を上方から覆う原稿台カバー１４とを備えている。原稿台カバー１４は、装置１の後端部に回動可能に取付けられ、原稿台１２の上面を開閉するように設けられている。
【００２０】
一方、プリンタ部３０は、図３に示すように、スキャナ部１０を上方に持ち上げることによって、その内部が開口部３０１を通じて外部に開放されるように構成されている。つまり、スキャナ部１０は、装置１の後部にヒンジ部４１を介して回動自在に装着されており、このスキャナ部１０を上方へと持ち上げることで、プリンタ部３０の内部に通じる開口部３０１が開放される。プリンタ部３０の内部には、インクカートリッジを搭載するキャリッジ３６などが配置されている。このようにプリンタ部３０の内部が開放されることにより、その開口部３０１を通じてインクカートリッジの交換等のメンテナンス作業や、紙詰まり等のエラー対処等を容易に行うことができるようになっている。
【００２１】
また、プリンタ部３０は、装置１の背部に、印刷媒体として用紙７がセットされて当該用紙７を順次供給する給紙部３２を備えているとともに、装置１の前部に、印刷された用紙７が排出される排紙部３４を備えている。給紙部３２は、給紙トレー３２１を備え、給紙トレー３２１にカット紙（図示外）を保持するようになっている。また、排紙部３４は、排紙トレー３４１を備え、印刷されて排出された用紙７を受けるとともに、不使用時には排紙口を塞ぐことができる。なお、給紙部３２にセットされる媒体としては、カット紙などの単票状印刷用紙のみならず、ロール紙などの連続した印刷用紙でも構わず、給紙部３２がこれらの媒体に対応した構造を備えていても良い。
【００２２】
図４は、このＳＰＣ複合装置１の操作パネル部７０を示したものである。操作パネル部７０には、表示部として液晶ディスプレイ７２および報知ランプ７４と、その周りに大小複数の操作ボタン７６、７８、８０、８２、９２、９０、８４、８６、８８とが設けられている。液晶ディスプレイ７２は、設定項目や設定状態、また動作状態など、各種情報が表示されるようになっている。また、報知ランプ７４は、ＬＥＤなどで構成され、エラー発生時に点灯してユーザに報知するようになっている。また、操作ボタンとしては、電源ボタン７６、スキャナビボタン７８、メモリ呼出ボタン８０、クリアボタン８２、左右カーソルボタン９２、コピー枚数設定ボタン９０（９０１，９０２）、カラーコピーボタン８４、モノクロコピーボタン８６、およびストップボタン８８が設けられている。カラーコピーボタン８４が操作されると、カラーコピーが実行される。また、モノクロコピーボタン８６が操作されると、モノクロ（白黒）コピーが実行される。また、コピー枚数設定ボタン９０は、インクリメントボタン（『＋』が表記されたボタン）９０１と、デクリメントボタン（『−』が表記されたボタン）９０２とから構成されている。
【００２３】
＝＝＝スキャナ部１０・プリンタ部３０の内部機構＝＝＝
図５はスキャナ部１０及びプリンタ部３０の内部機構を示したものである。    スキャナ部１０は、同図の上部に示すように、原稿台１２の下側に、スキャナ用キャリッジ１６と、このキャリッジ１６を原稿台１２に対して所定の間隔を保ちつつ図中矢印Ａ方向に沿って平行に移動させる駆動機構１８と、キャリッジ１６を支持しつつその移動を案内するガイド２０とを備えている。
【００２４】
スキャナ用キャリッジ１６には、原稿台１２を介して原稿５に対し光を照射する光源としての露光ランプ２２と、原稿５から反射された反射光を案内する複数枚のミラー２６と、ミラー２６により案内された反射光を集光するレンズ２４と、このレンズ２４により集光された反射光を受光するＣＣＤセンサ２８とが搭載されている。
【００２５】
ＣＣＤセンサ２８は、光信号を電気信号に変換するフォトダイオードが列状に配置されて構成された３本のリニアセンサ（図示外）を備えている。これら３本のリニアセンサは、相互に間隔をあけて平行に配置され、それぞれＲ（レッド）、Ｇ（グリーン）およびＢ（ブルー）の３色の異なるフィルタが設けられている。各リニアセンサは、各フィルタの色に対応した成分の光をそれぞれ反射光から検出し、その検出結果を制御部５０に出力する。
【００２６】
また、駆動機構１８は、スキャナ用キャリッジ１６に接続されたタイミングベルト１８１と、このタイミングベルト１８１が掛け渡された一対のプーリ１８３、１８４と、一方のプーリ１８２を回転駆動する駆動モータ１８３とを備えている。駆動モータ１８３は、制御部５０からの制御信号によって駆動制御される。
【００２７】
一方、プリンタ部３０は、図５の下部に示すように、プリンタ用キャリッジ３６と、このキャリッジ３６に搭載された印刷ヘッド３８と、プリンタ用キャリッジ３６を用紙７に対して所定の間隔を保持しつつ相対的に平行に移動させる駆動機構４１と、用紙７を前記キャリッジ３６の移動方向とは直交する方向に沿って紙送りする紙送り機構（本発明における搬送手段に相当）４３とを備えている。
【００２８】
プリンタ用キャリッジ３６には、カートリッジ装着部が設けられ、このカートリッジ装着部には、黒（Ｋ）、シアン（Ｃ）、マゼンタ（Ｍ）、イエロ（Ｙ）等のインク（本発明における記録剤に相当）が収容されたインクカートリッジが装着される。
【００２９】
印刷ヘッド３８は、インクカートリッジから供給された各色のインクを用紙７に向けて吐出して当該用紙７上にドットを形成することで、用紙７に画像を形成して印刷を施すようになっている。印刷ヘッド３８は、インクを吐出するためのノズルを各色別にそれぞれ複数備えている。各ノズルには、ピエゾ素子（図示外）が設けられ、当該ピエゾ素子が駆動されることで、インクが吐出される。
【００３０】
駆動機構４１は、プリンタ用キャリッジ３６に接続されたタイミングベルト４９と、このタイミングベルト４９に噛合されたプーリ４８と、このプーリ４８を回転駆動するキャリッジモータ４２（以下、ＣＲモータともいう）と、プリンタ用キャリッジ３６の位置を検出するリニア式エンコーダ４６１とを備えている。この駆動機構４１は、キャリッジモータ４０を駆動してプーリ４８を介してタイミングベルト４９を回転させることにより、プリンタ用キャリッジ３６を用紙７に対して相対的に移動させるようになっている。キャリッジモータ４０は、制御部５０からの制御信号により駆動制御される。
【００３１】
紙送り機構４３は、プラテン３５と、搬送ローラ３７と、当該搬送ローラ３７を回転駆動する紙送りモータ４２（以下、ＰＦモータともいう）と、用紙７が所定位置に到達したか否かを検出する紙検出センサ４５と、搬送ローラ３７の回転量を検出するロータリ式エンコーダ４７とを備えている。プラテン３５は、印刷ヘッド３８に対向して配置されている。紙送りモータ４２が駆動すると、搬送ローラ３７が回転して、用紙７がプラテン３５上を搬送される。紙送りモータ４２は、制御部５０からの制御信号により駆動制御される。
【００３２】
印刷時には、用紙７が搬送ローラ３７により間欠的に所定の搬送量で搬送され、その間欠的な搬送の合間にプリンタ用キャリッジ３６が、搬送ローラ３７による搬送方向に対して交差する方向に沿って走査しながら、印刷ヘッド３８から用紙７に向けてインクを吐出して印刷が施されるようになっている。
【００３３】
＝＝＝印刷ヘッド３８の吐出機構＝＝＝
図６は、印刷ヘッド３８の下面部に設けられたインクを吐出するノズルの配列を示した図である。印刷ヘッド３８の下面部には、同図に示すように、ブラック（Ｋ）、シアン（Ｃ）、マゼンタ（Ｍ）およびイエロ（Ｙ）の各色ごとにそれぞれ複数のノズル♯１〜♯１０からなるノズル列３３が設けられている。各ノズル♯１〜♯１０は、用紙７の搬送方向に沿って直線状に配列され、各ノズル列３３は、印刷ヘッド３８の移動方向（走査方向）に沿って相互に間隔をあけて平行に配置されている。各ノズル♯１〜♯１０には、インク滴を吐出するための駆動素子としてピエゾ素子（図示外）が設けられている。
【００３４】
図７は、各ノズル♯１〜♯１０の駆動回路を示したものである。この駆動回路は、同図に示すように、原駆動信号発生部２０６と、複数のマスク回路２０４と、駆動信号補正部２３０とを備えている。各マスク回路２０４には、シリアル印刷信号ＰＲＴ（ｉ）が入力される。シリアル印刷信号ＰＲＴ（ｉ）は、制御部５０から送られてきた、各ノズル♯１〜♯１０におけるインクの吐出の可否を指示する信号である。また、原駆動信号発生部２０６は、同図下端部に示すような、１画素当たり、第１パルスＷ１と第２パルスＷ２との２つのパルスからなる原駆動信号ＯＤＶＲを生成する。生成された原駆動信号ＯＤＶＲは、各マスク回路２０４にそれぞれ供給される。
【００３５】
各マスク回路２０４では、シリアル印刷信号ＰＲＴ（ｉ）のレベルに応じて、原駆動信号ＯＤＶＲの通過を通過させたり、また遮断したりする。つまり、シリアル印刷信号ＰＲＴ（ｉ）のレベルが『１』、即ち「Ｈｉ」であるときには原駆動信号ＯＤＲＶをそのまま通過させて駆動信号ＤＲＶとして出力する一方、シリアル印刷信号ＰＲＴ（ｉ）のレベルが『０』、即ち「Ｌｏｗ」のときには、原駆動信号ＯＤＲＶを遮断する。これにより各マスク回路２０４からは、シリアル印刷信号ＰＲＴ（ｉ）のレベルに応じた駆動信号ＤＲＶが出力される。各マスク回路２０４から出力された駆動信号ＤＲＶは、駆動信号補正部２３０を経由して各ノズル♯１〜♯１０のピエゾ素子に出力されて、各ピエゾ素子を駆動する。
【００３６】
なお、駆動信号補正部２３０は、プリンタ用キャリッジ３６を往復移動させて印刷を行う場合に、キャリッジ３６の往路と復路におけるインク滴の着弾位置のズレを補正して、ドットの形成位置のズレを解消する処理を行う。
【００３７】
＝＝＝制御部５０の構成＝＝＝
図８は、本実施形態に係るＳＰＣ複合装置１の制御部５０のシステム構成を示したブロック構成図である。
制御部５０は、ＳＰＣ複合装置１の全体の制御を司るＣＰＵ（中央制御部）５４と、ＣＰＵ５４が読み書きするためのＣＰＵ用のメモリ５７と、各種専用の処理を実行するＡＳＩＣ５１と、ホストコンピュータ３など外部との間で通信を行うための通信インターフェース５２と、操作パネル部７０における操作入力の検出や液晶ディスプレイ７２の表示制御などを行う操作制御部７１と、ＣＰＵ５４で実行される制御用プログラムなどを格納したＲＯＭ（図示外）とを備えている。ＲＯＭには、当該ＳＰＣ複合装置１を制御するための制御プログラムなどが記憶されている。ＣＰＵ５４は、ＲＯＭから制御プログラムを読み出して実行することにより、ＳＰＣ複合装置１の各部を制御する。ここでは、ＣＰＵ５４とバス５０１で接続された、メモリ５７やＡＳＩＣ５１、通信インターフェース５２、操作制御部７１などが制御される。ＣＰＵ用のメモリ５７は、ＳＤＲＡＭなどをはじめとするメモリ等の適宜な記憶手段により構成される。当該メモリ５７には、受信バッファ（図示外）やプリンタ動作用イメージバッファ５７１、５７２などが設けられる。
【００３８】
ＡＳＩＣ５１は、スキャナコントロールユニット５８と、２値化処理ユニット６０と、インターレース処理ユニット６２と、イメージバッファユニット６４と、ＣＰＵインターフェイスユニット（以下、ＣＰＵＩＦユニットという）６６と、ヘッドコントロールユニット６８と、ＡＳＩＣ５１が読み書きするためのＡＳＩＣ用のメモリ６９とを備えている。ＡＳＩＣ用のメモリ６９は、ＳＤＲＡＭなどをはじめとする適宜な記憶手段により構成される。当該メモリ６９には、ラインバッファ６９１と、インターレースバッファ６９２と、２つのイメージバッファ６９３、６９４とがそれぞれ設けられている。ＡＳＩＣ用のメモリ６９は、ＳＤＲＡＭなどをはじめとするメモリ等の適宜な記憶手段により構成される。
【００３９】
スキャナコントロールユニット５８は、スキャナ部１０の露光ランプ２２やＣＣＤセンサ２８、これらを搭載したスキャナ用キャリッジ１６を移動させる駆動モータ１８２などを駆動制御するとともに、ＣＣＤセンサ２８において原稿５から画像を読み取り、この読み取りにより得られたデータをラインバッファ６９１に一旦格納する。ここでは、例えば多階調のＲＧＢデータなどといった形式の画像データを生成して、この画像データをラインバッファ６９１に蓄積する。画像データは、スキャナコントロールユニット５８により順次、ラインバッファ６９１から読み出されて２値化処理ユニット６０に送出される。
【００４０】
２値化処理ユニット６０は、送られてきた画像データを２値化処理して２値化データ（本発明における印刷データに相当）を生成する。例えば、画像データが多階調のＲＧＢデータの場合には、メモリ６９に記憶されたルックアップテーブル（ＬＵＴ）６９５を参照して、その画像データを例えばＣＭＹＫの各色ごとの２値化データ（ＣＭＹＫデータともいう）等を生成する。ここで生成されるＣＭＹＫデータとは、シアン（Ｃ）、マゼンタ（Ｍ）、イエロ（Ｙ）、黒（Ｋ）の各色別の２値データから構成されるデータのことであり、各色別の２値データは、インクカートリッジの各色に対応している。ここで生成された２値化データは、スキャナコントロールユニット５８からインターレース処理ユニット６２へと順次送出される。
【００４１】
インターレース処理ユニット６２は、スキャナコントロールユニット５８からの２値化データをインターレースバッファ６９２に順次記憶する。そして、インターレース処理ユニット６２は、インターレースバッファ６９２から２値化データを順次読み出して、印刷ヘッド３８が所定の方向に沿って１回移動される毎に印刷処理すべき１走査分のヘッド駆動データを生成する。このヘッド駆動データは、印刷ヘッド３８の各色の各ノズル♯１〜♯１０に対し、インクの吐出の有無と吐出量を指示する２値データであり、印刷ヘッド３８の移動方向に沿って配列された『０』または『１』のビットにより構成されている。ここで１走査とは、印刷ヘッド３８が所定の方向に沿って移動を開始してから終了するまでの動作のことをいう。
【００４２】
インターレース処理ユニット６２は、このような１走査分のヘッド駆動データを順次イメージバッファユニット６４に送出する。イメージバッファユニット６４は、送られてきた１走査分のヘッド駆動データを、２つのイメージバッファ６９３、６９４に順次振り分けながら格納する。
【００４３】
イメージバッファ６９３、６９４に格納された１走査分のヘッド駆動データは、ＣＰＵ５４によりＣＰＵＩＦユニット６６を通じて順次読み出されて、ヘッドコントロールユニット６８に送出される。
【００４４】
ヘッドコントロールユニット６８は、ＣＰＵ５４により送られてきたヘッド駆動データに基づき、印刷ヘッド３８を駆動して用紙７に対して印刷をする。すなわち、ヘッドコントロールユニット６８は、送られてきたヘッド駆動データに基づき、印刷ヘッド３８を駆動して、用紙に対してインクを吐出して印刷を施す。
【００４５】
＝＝＝制御部５０の処理＝＝＝
＜スキャナ時の処理＞
ホストコンピュータ３等から画像読み取り命令があると、ＣＰＵ５４からスキャナコントロールユニット５８に対して画像読み取り命令が発せられる。この命令を受けたスキャナコントロールユニット５８は、駆動モータ１８３を駆動してスキャナ用キャリッジ１６を移動させながらＣＣＤセンサ２８を通じて、原稿台１２にセットされた原稿５から画像を読み取り、この読み取りにより取得したデータをラインバッファ６９１に順次蓄積する。そして、スキャナコントロールユニット５８は、ラインバッファ６９１に蓄積したデータに対してライン間補正処理を施しつつ順次読み出して例えばＲＧＢデータ等の画像データとして、通信インターフェース５２を介してホストコンピュータ３に送信する。
【００４６】
＜プリンタ時の処理＞
ＣＰＵ５４は、ホストコンピュータ３からの印刷データを通信インターフェース５２で受信し、その印刷データをＣＰＵ用メモリ５６に設けられた受信バッファに記憶する。ここで、送られてくる印刷データは、ホストコンピュータ３により予め印刷ヘッド３８が所定の方向に沿って１回移動される毎に印刷ヘッド３８により印刷処理されるべき１走査分のヘッド駆動データとして加工されている。ＣＰＵ５４は、印刷データから１走査分のヘッド駆動データを抽出して、当該ヘッド駆動データを各イメージバッファ５７１、５７２に振り分けながら順次格納する。そして、各イメージバッファ５７１、５７２に格納されたヘッド駆動データは、各イメージバッファ５７１、５７２から順次読み出されてヘッドコントロールユニット６８へと送出される。ヘッドコントロールユニット６８は、送られてきたヘッド駆動データに基づき、印刷ヘッド３８を駆動して用紙７に対して印刷をする。
【００４７】
＜ローカルコピー時の処理＞
操作パネル部７０のカラーコピーボタン８４またはモノクロコピーボタン８６などを通じてユーザからコピー命令を受けると、ＣＰＵ５４は、スキャナコントロールユニット５８に対して画像読み取り命令を発する。この命令を受領したスキャナコントロールユニット５８は、原稿台１２にセットされた原稿５から画像を取り込んで画像データを生成してラインバッファ６９１に格納する。そして、スキャナコントロールユニット５８は、ラインバッファ６９１から順次画像データを読み出して２値化処理ユニット６０に送出する。２値化処理ユニット６０は、送られてきた画像データを順次２値化処理して２値化データを生成する。ここで、カラーコピーボタン８４が操作された場合には、例えばＣＭＹＫデータ等の複数色分の２値化データが生成され、またモノクロコピーボタン８６が操作された場合には、１色分の２値化データが生成される。生成された２値化データは、２値化処理ユニット６０により順次インターレース処理ユニット６２に送出される。
【００４８】
インターレース処理ユニット６２は、送られてきた２値化データをインターレースバッファ６９２に記憶し、ここから順次２値化データを読み出して、印刷ヘッド３８が所定の方向に沿って１回移動される毎に印刷処理すべき１走査分のヘッド駆動データを生成し、当該ヘッド駆動データを順次イメージバッファユニット６４に送出する。
【００４９】
イメージバッファユニット６４は、送られてきた１走査分のヘッド駆動データを、２つのイメージバッファ６９３、６９４に振り分けつつ格納し、格納されたヘッド駆動データは、ＣＰＵＩＦＵ６６により順次イメージバッファ６９３、６９４から読み出されて、ヘッドコントロールユニット６８へ送られる。ヘッドコントロールユニット６８は、このヘッド駆動データに基づき印刷ヘッド３８を駆動して用紙７に印刷を施す。これにより、原稿台１２にセットされた原稿５の画像が用紙７に印刷されて複写される。
【００５０】
＝＝＝コピー枚数設定機能＝＝＝
この装置１では、ローカルコピーを実行する際に、コピー枚数（本発明における印刷数に相当）を設定することができる。コピー枚数の設定は次のようにして行う。
【００５１】
図９は、コピー枚数を設定する際の操作パネル部７０の一部を詳細に示した図である。コピー枚数は、何も枚数を設定しなければ、初期値『１』（枚）に自動的に設定され、そのままコピーボタン８４、８６を操作すると、１枚の用紙７にコピーをすることができる。一方、コピー枚数を２枚以上に設定する場合には、操作パネル部７０上のコピー枚数設定ボタン９０のうち、インクリメントボタン（『＋』と表示されたボタン）９０１を操作する。
【００５２】
インクリメントボタン９０１を操作すると、同図に示すように、操作パネル部７０の液晶ディスプレイ７２にコピー枚数設定画面が呼び出されて、現在設定されているコピー枚数（破線枠Ａの部分）が表示される。インクリメントボタン９０１は、１回操作される毎に、１枚ずつ設定枚数を増やすようになっている。また、インクリメントボタン９０１を所定時間以上長く操作すると、その操作時間に応じて１枚ずつ自動的に設定枚数が増えるようになっている。設定されたコピー枚数は、液晶ディスプレイ７２に逐次表示される。ユーザーは液晶ディスプレイ７２に表示される設定枚数を確認しながらコピー枚数を設定する。
【００５３】
一方、設定枚数が所望の枚数を超えてしまった場合には、デクリメントボタン（『−』と表示されたボタン）９０２を操作して、設定したコピー枚数を減らす。デクリメントボタン９０２は、インクリメントボタン９０１と同様、１回操作される毎に１枚ずつ設定枚数を減らすとともに、所定時間以上長く操作されると、その操作時間に応じて１枚ずつ自動的に設定枚数を減らすようになっている。ユーザーは、液晶ディスプレイ７２を通じて設定枚数を確認しながら所望の枚数に設定し直す。
【００５４】
なお、このデクリメントボタン９０２を操作しても、コピー枚数設定画面を操作パネル部７０の液晶ディスプレイ７２に呼び出すことができる。また、操作パネル部７０のクリアボタン（図４参照）を操作すれば、初期値『１』に簡単に戻すことができる。ユーザーにより設定されたコピー枚数は、当該装置１のＣＰＵ用のメモリ５６等の適宜な記憶部に記憶される。
【００５５】
コピー枚数の設定終了後、用紙７の種類やコピー品質等を設定し、そして、カラーコピーボタン８４またはモノクロコピー８６を操作することによって、ローカルコピーを実行することができる。
【００５６】
＝＝＝コピー枚数変更機能＝＝＝
本実施形態では、ローカルコピー実行中、即ちプリンタ部３０において媒体に印刷が行われている最中に、コピー枚数の変更を行うことができる。つまり、カラーコピーボタン８４またはモノクロコピー８６を操作してローカルコピーを実行した後であっても、コピー枚数を減らしたり増やしたりすることができる。以下にローカルコピー実行中のコピー枚数の変更方法について詳しく説明する。
【００５７】
図１０は、ローカルコピー実行中に液晶ディスプレイ７０に表示されるコピー実行画面を示したものである。このコピー実行画面には、現在設定されているコピー枚数（破線枠Ｂの部分）、つまり、図９において設定されたコピー枚数と、現在コピー中の枚数（破線枠Ｃの部分）とが表示される。ここで表示される現在コピー中の枚数は、プリンタ部３０により１枚１枚コピーが開始される都度、逐次更新される。
【００５８】
ローカルコピー実行中にコピー枚数を変更するには、この画面が液晶ディスプレイ７２に表示されているときに、インクリメントボタン９０１またはデクリメントボタン９０２を操作する。インクリメントボタン９０１を操作すると、１回操作するごとにコピー枚数が１枚ずつ増える。一方、デクリメントボタン９０２を操作すると、１回操作するごとにコピー枚数が１枚ずつ減る。つまり、設定されたコピー枚数が１枚ずつ変更される。
【００５９】
液晶ディスプレイ７２に表示されるコピー枚数（破線枠Ｂの部分）は、インクリメントボタン９０１またはデクリメントボタン９０２が操作される都度、逐次更新される。ユーザーは、この液晶ディスプレイ７２に表示されるコピー枚数を確認しながら、インクリメントボタン９０１またはデクリメントボタン９０２を操作して、コピー枚数を所望の枚数に変更する。ＳＰＣ複合装置１は、この変更により設定された新たなコピー枚数に従ってローカルコピーを実行する。
【００６０】
なお、このコピー枚数の変更にあっては、変更後のコピー枚数が現在コピー中の枚数を下回るような場合、即ち、印刷済みの枚数と同じ若しくはこれを下回る場合に、当該変更を受け付けないようにすると良い。つまり、ユーザによりデクリメントボタン９０２が操作されて、コピー枚数が現在コピー中の枚数と同じに設定された後、さらにデクリメントボタン９０２が操作された場合に、当該操作によってコピー枚数が現在コピー中の枚数を下回るような数に設定されないようにする。液晶ディスプレイ７２には、デクリメントボタン９０２が操作されても、コピー枚数が現在コピー中の枚数を下回らないように表示される。
【００６１】
また、この他に、変更後のコピー枚数が現在コピー中の枚数を下回るような変更がユーザーからあった場合に、直ちにローカルコピーの実行を中止するようにしても良い。
【００６２】
＝＝＝ＣＰＵ５４の処理＝＝＝
図１１及び図１２は、ローカルコピー時におけるＣＰＵ５４の処理の一例を示したフローチャートである。図１１は、ＣＰＵ５４が実行するメインルーチンを示すフローチャートであり、図１２は、ＣＰＵ５４が実行するコピー枚数変更ルーチンを示すフローチャートである。
【００６３】
ＣＰＵ５４は、ユーザーによりカラーコピーボタン８４またはモノクロコピーボタン８２が操作されると、図１１に示すように、ユーザーにより設定されたコピー枚数と印刷済み数の各値を取得する（Ｓ１０２）。次に、ＣＰＵ５４は、取得したコピー枚数と印刷済みの枚数とを比較し、印刷済みの枚数がコピー枚数に達していないどうかチェックをする（Ｓ１０４）。ここで、印刷済みの枚数がコピー枚数に達していた場合には、そのまま処理を終了する。一方、印刷済みの枚数がコピー枚数に達していない場合には、次のステップＳ１０６に進んで、用紙１枚に対して印刷を実行する。そして、１枚分の印刷処理が終了した後、印刷済みの枚数を１枚分、即ち『＋１』だけインクリメントして（Ｓ１０８）、再び、スタートに戻ってコピー枚数と印刷済みの枚数とを取得する（Ｓ１０２）。そして、印刷済みの枚数がコピー枚数に達するまで、この処理を繰り返す。
【００６４】
一方、ＣＰＵ５４は、メインルーチンと並行してコピー枚数変更ルーチンを実行する。このコピー枚数変更ルーチンにおいてＣＰＵ５４は、図１２に示すように、まず、メインルーチンが終了しているか否かをチェックする（Ｓ２０２）。ここで、メインルーチンが終了していた場合には、直ちに当該ルーチンを終了する。一方、メインルーチンが未だ終了していない場合には、次のステップＳ２０４に進む。
【００６５】
ステップＳ２０４では、ユーザーによるコピー枚数の変更操作、即ち操作パネル部７０のコピー設定ボタン９０、インクリメントボタン９０１またはデクリメントボタン９０２の操作があったか否かをチェックする。ここで、ユーザーによりコピー枚数の変更操作がなかった場合には、再び、スタートに戻る。一方、ユーザーによるコピー枚数の変更操作があった場合には、ステップＳ２０６に進み、その変更操作がインクリメントか否か、即ちインクリメントボタン９０１が操作されたのか否か判別する。
【００６６】
インクリメントボタン９０１が操作されたのであれば、コピー枚数を１枚分カウントアップ、即ちインクリメントする。他方、その変更操作がインクリメントではなかった場合には、次にデクリメントか否か、即ちデクリメントボタン９０２が操作されたのか否か判別する（Ｓ２１０）。ここで、デクリメントボタン９０２の操作ではない場合には、その操作は不明であるとして無効扱いをして、再びスタートに戻る。一方、その変更操作がデクリメントであった場合には、ステップＳ２１２に進み、印刷済みの枚数と、現在設定されている変更前のコピー枚数とを取得し、印刷済みの枚数が変更前のコピー枚数よりも少ない場合に、コピー枚数を１枚分カウントダウン、即ちデクリメントする（Ｓ２１６）。一方、印刷済みの枚数が変更前のコピー枚数と同じまたはこれよりも多い場合には、当該デクリメントの変更操作を受け付けず、そのままスタートに戻って、再度、変更操作を受け付ける。
【００６７】
コピー枚数をインクリメントまたはデクリメントした後、液晶ディスプレイ７２中のコピー枚数の表示を変更して（Ｓ２１８）、再び、スタートに戻る。このような処理をメインルーチンが終了がするまでの間、行う。
【００６８】
以上この装置１にあっては、ローカルコピーの実行中であっても、当該実行前に設定したコピー枚数を変更することができるから、コピー枚数を誤って設定してしまった場合や、コピー枚数が多すぎたり少なすぎたりした場合などであっても、ローカルコピーを途中で中断することなく、所望のコピー枚数分だけ用紙７に印刷をすることができる。
【００６９】
特に、本実施形態に係る装置１のように、用紙７を間欠的に搬送して、その間欠的な搬送の合間に印刷を行う装置の場合、コピーを中断しなくてもコピー枚数を変更することができるから、用紙７への印刷が途中で途切れて終わることがなく、用紙７の無駄を解消することができる。
【００７０】
また、前記実施形態では、ローカルコピー時において、その実行中にコピー枚数の変更を受けるできる点について説明したが、本発明にあってはこれに限らず、プリンタ時においても、その実行中にプリント枚数（印刷数）の変更を受け付けるように構成されても良い。
【００７１】
また、前記実施形態においては、変更後のコピー枚数が現在コピー中の枚数を下回るような変更がユーザーからあった場合についてのみ、変更を受け付けなかったが、本発明にあってはこれに限らず、当該装置１により印刷可能な用紙７の枚数を上回るようなコピー枚数の変更指示がユーザーからあった場合にも、その変更を受け付けないようにしても構わない。ここで、印刷可能な用紙７の枚数とは、インクカートリッジのインクの残量などから導き出される印刷可能な用紙７の枚数などのことをいう。例えば、インクカートリッジ内のインクの残量を検出するとともに、印刷しようとする画像の２値データから用紙１枚当たりのインクの予想消費量を求め、これらインクの残量と予想消費量とから印刷可能な用紙７の枚数を算出する。そして、算出した用紙の枚数を超えるようなコピー枚数の変更がローカルコピー実行中にユーザーからあった場合に、その変更を受け付けないようにするのである。
【００７２】
＝＝＝その他の実施の形態＝＝＝
以上、本発明に係る印刷装置について、その実施の形態につき説明したが、その記載の中には、印刷装置、印刷方法、プログラム、記憶媒体、コンピュータシステム、表示画面、画面表示方法、印刷物の製造方法、記録装置等の開示が含まれていることは言うまでもない。
【００７３】
また、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。
【００７４】
例えば、本発明に係る印刷装置としては、インクジェットプリンタやバブルジェット（登録商標）式プリンタ、また他のインク吐出方式を採用したプリンタをはじめ、インクを吐出しないで印刷をするドットインパクトプリンタや熱転写プリンタ、またレーザービーム式プリンタ等の各種ページプリンタなど、印刷可能であれば、そのような装置であっても良い。
【００７５】
この他に、メモリカード等の記憶媒体から、デジタルカメラなどで生成された画像データを読み取るデータ読み取り部を備えた印刷装置であっても良い。この場合、データ読み取り部において読み取った画像データに基づき、印刷装置が媒体に画像を印刷する場合に、その印刷実行中に媒体の印刷数を変更するときに本発明を適用することができる。
【００７６】
また、本実施形態において、ハードウェアによって実現されていた構成の一部又は全部をソフトウェアによって置き換えてもよく、逆に、ソフトウェアによって実現されていた構成の一部をハードウェアによって置き換えてもよい。
【００７７】
特に、以下に述べる実施形態であっても、本発明に係る印刷装置に含まれるものである。
【００７８】
＜印刷手段について＞
本発明に係る印刷手段にあっては、前記実施の形態で説明したインクジェット方式やバブルジェット方式をはじめとするインクを吐出して媒体に印刷をする手段をはじめ、インクを吐出せずに印刷を行うレーザービーム方式やドットインパクト方式、熱転写方式等の各種方式により媒体に印刷可能な手段を含む。
【００７９】
＜媒体について＞
本発明における媒体としては、前述した用紙、例えば、カット紙やロール紙等の紙材の他に、布材やフィルム材を含む各種素材により形成されたシート状の媒体の他に、立体的形状を有する媒体、例えば缶等の各種容器などであっても構わない。
【００８０】
＜設定手段について＞
本発明における設定手段としては、前述したように印刷装置に設けられた操作パネル部等の操作入力部を有する手段の他に、当該印刷装置に対して有線または無線による通信などにより設定可能な全ての装置（例えばホストコンピュータなど）を含む。
【００８１】
＜記録剤について＞
本発明における記録剤については、前述したようなインクに限らず、レーザービーム方式の印刷装置などで使用されるトナーなどをはじめ、媒体への印刷に寄与する全ての物を含む。
【００８２】
【発明の効果】
本発明によれば、印刷手段により印刷中であっても、設定した印刷数を変更することができるから、印刷数を誤って設定してしまった場合や印刷数が多すぎたり少なすぎたりした場合などであっても、印刷を途中で中止することなく、所望の印刷数の印刷を行うことができる。
【図面の簡単な説明】
【図１】本発明の一実施形態であるスキャナ・プリンタ・コピー複合装置の外観を示した斜視図である。
【図２】図１の装置のスキャナ部のカバーを開いたときの斜視図である。
【図３】図１の装置のプリンタ部を示した斜視図である。
【図４】図１の装置の操作パネル部を示した図である。
【図５】図１の装置のスキャナ部及びプリンタ部の構成を示した説明図である。
【図６】図１の装置の印刷ヘッドのノズルの配置状態を示した図である。
【図７】各ノズルの駆動回路の一例を示した図である。
【図８】図１の装置のシステム構成を示したブロック構成図である。
【図９】図１の装置の操作パネル部の液晶ディスプレイ及びその周辺部分を示した図である。
【図１０】図１の装置の液晶ディスプレイのローカルコピー実行時の画面の様子を示した図である。
【図１１】図１の装置におけるローカルコピー実行時のメイン処理を示したフローチャートである。
【図１２】図１の装置におけるローカルコピー実行時のコピー枚数変更処理を示したフローチャートである。
【符号の説明】
１  ＳＰＣ複合装置、３  ホストコンピュータ、５  原稿、１０  スキャナ部、１２  原稿台、１４  原稿台カバー、１６  スキャナ用キャリッジ、１８  駆動機構、１８１  タイミングベルト、１８２  プーリ、１８３  パルスモータ、１８４  プーリ、２０  ガイド、２２  露光ランプ、２４  レンズ、２６  ミラー、２８  ＣＣＤセンサ、３０  プリンタ部、３０１  開口部、３２  給紙部、３２１  給紙トレー、３３  ノズル列、３４  排紙部、３５  プラテン、３６  プリンタ用キャリッジ、３７  搬送ローラ、３８  印刷ヘッド、４０  キャリッジモータ、４１  駆動機構、４２  紙送りモータ、４３  紙送り機構、４５  用紙検出センサ、４６  リニア式エンコーダ、４７  ロータリ式エンコーダ、４８  プーリ、４９  タイミングベルト、５０  制御部、５１  ＡＳＩＣ、５２  通信インターフェース、５４  ＣＰＵ、５６  ＣＰＵ用メモリ、５７１  イメージバッファ、５７２  イメージバッファ、５８  スキャナコントロールユニット、６０  ２値化処理ユニット、６２  インターレース処理ユニット、６４  イメージバッファユニット、６６  ＣＰＵインターフェースユニット（ＣＰＵＩＦ）、６８  ヘッドコントロールユニット、６９  ＡＳＩＣ用メモリ、６９１  ラインバッファ、６９２  インターレースバッファ、６９３  イメージバッファ、６９４イメージバッファ、６９５  ルックアップテーブル（ＬＵＴ）、７０  操作パネル部、７１  操作制御部、７２  液晶ディスプレイ、７４  報知ランプ、７６電源ボタン、７８  スキャナビボタン、８０  メモリ呼出ボタン、８２  クリアボタン、８４  カラーコピーボタン、８６  モノクロコピーボタン、８８  ストップボタン、９０  コピー枚数設定ボタン、９２  左右カーソルボタン、２０４  マスク回路、２０６  原駆動信号発生部、２３０  駆動信号補正部
【図１】
2004155102.tif 000003
【図２】
2004155102.tif 000004
【図３】
2004155102.tif 000005
【図４】
2004155102.tif 000006
【図５】
2004155102.tif 000007
【図６】
2004155102.tif 000008
【図７】
2004155102.tif 000009
【図８】
2004155102.tif 000010
【図９】
2004155102.tif 000011
【図１０】
2004155102.tif 000012
【図１１】
2004155102.tif 000013
【図１２】
2004155102.tif 000014